(57)【要約】  フィッシングルアーのためのカスタマイズ可能な接着カバーを提供する。一例では、接着カバーは、底部接着層に接着される基材層に接着される積層体外層を有する。基材層は、中間層に付されるパーソナライズされたデザインを受け入れやすくなるように処理されている。接着カバーは、フィッシングルアーの一面または多面を部分的または全面的に覆うことができるように構成されている。【選択図】図５
2010528665.tif 000002
【特許請求の範囲】
【請求項１】
フィッシングルアーの表面を覆うための接着カバーであって、
積層外層を備える最上層と、
最上層に接着され、ビニルあるいはポリオレフィンを含むと共に、そこに付されるデザインを有する基材層と、
機器に接着カバーを接着するように形成された接着材を有する中間層に接着される底層と、を備える接着カバー。
【請求項２】
請求項１に記載の接着カバーであって、前記基材層がコロナ処理されている。
【請求項３】
請求項１に記載の接着カバーであって、さらに、前記基材層の表面にプライマーが付されており、上記プライマーは、前記底層の表面へのデザインの接着を促進する。
【請求項４】
請求項１に記載の接着カバーであって、前記デザインは、デジタル印刷機により前記基材層に付されている。
【請求項５】
請求項１に記載の接着カバーであって、前記デザインは、シルクスクリーンにより前記基材層に付されている。
【請求項６】
請求項１に記載の接着カバーであって、前記デザインは、金属インクおよび夜光性インクから成るグループの中から選ばれたインクを含む。
【請求項７】
請求項１に記載の接着カバーであって、前記デザインは、エッチングにより前記基材層に付されている。
【請求項８】
請求項１に記載の接着カバーであって、前記デザインは、化学的な焼き付けにより前記基材層に付されている。
【請求項９】
請求項１に記載の接着カバーであって、前記カバーは、前記フィッシングルアーの１または複数の面に前記カバーを接着するのを促進する形状を有する。
【請求項１０】
請求項１に記載の接着カバーであって、前記カバーは、１または複数の開口部、剥離部、穴開け部、裂け部、あるいはそれらの組み合わせをそこに有する。
【請求項１１】
請求項１に記載の接着カバーであって、前記デザインは、１または複数のカスタマイズされた色彩、テキスト、名前、企業ブランド、スローガン、パターン、画像、意匠、グラフィック、写真、ロゴ、宣伝またはそれらの組み合わせをそこに有する。
【請求項１２】
請求項１に記載の接着カバーであって、前記カバーの外側の面に固着される１または複数の加飾片をさらに有する。
【請求項１３】
請求項１に記載の接着カバーであって、前記カバー上に前記加飾片を配置するのを容易にするための予め印刷されたパターンをさらに有する。
【請求項１４】
請求項１３に記載の接着カバーであって、前記予め印刷されたパターンは、複数のドットを有し、各ドットは、ユーザに加飾片を配置するための位置を示すものである。
【請求項１５】
フィッシングルアーの表面に接着可能な接着カバーであって、
機器に上記接着カバーとを接着できるように形成された接着材を備える第１の層と、
繊維材料を含む第２の層と、
上記第１の層と上記第２の層とに挟まれ、接着カバーに剛性を付与する材料を含む第３の層と、を備え、
上記カバーは、フィッシングルアーの１または複数の面に上記カバーを接着するのを促進する形状を有する。
【請求項１６】
請求項１５に記載の接着カバーであって、前記繊維は、Ｌｅｘｔｒａ（商標）ｍａｘフロック転写材料である。
【請求項１７】
請求項１５に記載の接着カバーであって、デザインが前記第２の層の外側の面に付されている。
【請求項１８】
請求項１７に記載の接着カバーであって、前記デザインは、スクリーン印刷により前記第２の層に付されている。
【請求項１９】
請求項１７に記載の接着カバーであって、前記デザインは、デジタル印刷機により前記第２の層に付されている。
【請求項２０】
フィッシングルアーの表面に接着可能な接着カバーであって、
その底面に付されたデザインを有する第１の最上層と、
上記第１の層の底面に接着される第２の層と、
上記第２の層の上記第１の最上層と逆側に接着され、機器にカバーを接着するように形成される第３の層と、を備え、
上記カバーは、フィッシングルアーの１または複数の面に上記カバーを接着するのを容易にする形状を有する。
【請求項２１】
請求項２０に記載の接着カバーであって、前記デザインは、デジタル印刷機により前記第１の層に付されている。
【請求項２２】
請求項２０に記載の接着カバーであって、前記デザインは、シルクスクリーンにより前記第１の層に付されている。
【請求項２３】
請求項２０に記載の接着カバーであって、前記第３の層は、一時的に接着する接着材および離型紙を有する。
【請求項２４】
請求項２０に記載の接着カバーであって、さらに、その底面側にデザインを設けやすくするために、前記第１の層の底面側に設けられるプライマー層を備える。
【請求項２５】
接着カバーを取り付け可能に形成された１またはそれ以上の部分を有する少なくとも１つのフィッシングルアーと、
デザインを有すると共に、上記少なくとも１のフィッシングルアーに接着するのに適した少なくとも１つの接着カバーと、を備えるフィッシングルアーキット。
【請求項２６】
請求項２５に記載のフィッシングルアーキットであって、
前記フィッシングルアーキットは、前記フィッシングルアーを１２個有し、
各フィッシングルアーは、それぞれ異なるサイズを有し、
前記フィッシングルアーは、大きさの順により前記キット中に配置されている。
【請求項２７】
請求項２６に記載のフィッシングルアーキットであって、
前記フィッシングルアーキットは、前記接着カバーを１２個有する。
【請求項２８】
請求項２５に記載のフィッシングルアーキットであって、前記キットは、複数の接着カバーを有し、
前記複数の接着カバーのうち少なくとも１つは、他の前記複数の粘着カバーのうち１または複数と異なるデザインを有する。
【請求項２９】
請求項２５に記載のフィッシングルアーキットであって、前記デザインは、魚をひきつけるように選ばれる。
【請求項３０】
請求項２５に記載のフィッシングルアーキットであって、さらに、前記接着カバーに接着するために構成された１または複数の加飾片を含む。
【発明の詳細な説明】
【技術分野】
【０００１】
優先権情報
本願は、合衆国法典第３５巻１１９条（ｅ）に基づき、２００７年３月２３日に出願された米国特許出願１１／７２６，９６０および２００６年１１月３日に出願された米国特許仮出願６０／８５６，４  ９５に基づく優先主張の利益を主張する２００７年６月７日に出願された米国特許出願１１／７５９，６００に基づく優先権を主張し、これらの出願の全内容を参照して本明細書に組み込む。
【０００２】
技術分野
本発明の実施の形態は、たとえば、フィッシングルアーのような様々なタイプの消費者製品のための接着カバーに関する。とりわけ、いくつかの実施の形態は、カスタマイズされた接着カバーを有するフィッシングルアーに関する。
【背景技術】
【０００３】
関連技術の説明
今日、多数の異なるタイプのフィッシングルアーが存在している。多くの釣り人は、特定の種類の魚を引きつけるために、フィッシングルアーを用いる。しかしながら、各ユーザが要求する特徴をすべて含むフィッシングルアーをデザインすることは、高額あるいは難題である。そこで、ユーザの必要または要望に対して、フィッシングルアーを容易にカスタマイズできるようにするというニーズがある。
【０００４】
加えて、フィッシングルアーを個々のユーザの趣向にあわせてカスタマイズすることが、魚を引きつけるためのデザインにカスタマイズすることよりも望まれている。ユーザにとって、たとえば、彼または彼女の好きなスポーツチームのロゴや、彼または彼女の母校のロゴを付したルアーにカスタマイズできることが望まれている。
【発明の概要】
【０００５】
本発明の実施形態の要約
本発明は、たとえば、電子機器およびフィッシングルアーのような様々なタイプのデバイスのための接着カバー（別名“スキン”）に関する  。
【０００６】
本発明の実施の形態によると、接着性のカバーは、所有者の好みにカスタマイズ／パーソナライズされて提供される。実施の形態では、一時的な接着能を持つ接着層をその底面に有していてもよく、それにより、ユーザは、それが設けられたフィッシングルアーから、その接着カバーの位置を変えるあるいは取り外すことが容易になる。いくつかの実施の形態では、接着カバーの層は、その上にデジタル印刷することを容易にするための前処理が行われてもよい。
【０００７】
加えて、接着性のカバーは、フィッシングルアーの機能に干渉しない、あるいは、最小限で干渉するような構造の形態であってもよい。
【０００８】
本発明の一実施の形態では、接着カバーは、フィッシングルアーの表面に接着可能である。接着カバーは、積層体により覆われている。中間層は、最上層に接着されている。その中間層は、デザインが施され、ビニルまたはウレタンから成る。底部の、一時的な接着能を持つ接着層が、中間層に接着される。その底層は、一時的な装飾として、フィッシングルアーの筺体にその接着カバーと接着するのに用いられる。
【０００９】
本発明の他の形態では、フィッシングルアーの１または複数の表面に張り付けるのに適合した接着カバーの製造方法を提供している。この方法には、中間層へのコロナ処理、および、中間層へのプライマー塗布が含まれている。デザインは、中間層に付される。中間層は、また、積層体の天面と底部の一時的な接着能を持つ接着層との間に挟まれている。接着カバーは、フィッシングルアーの１あるいは複数の面を、部分的にもしくは全体的にカバーするように形成することができる。
【００１０】
本発明の別の形態によれば、マイラー層の側に付与されたデザインを有する第１マイラー層を含む接着カバーが提供される。第２の層は、マイラー層の画像面側に接着される。その第２の層は、ビニルもしくはポリオレフィン材料からなる。第３の一時的な接着能を持つ接着層は、その第２の層に接着される。第３の層は、転写テープとしてもよい。カバーは、フィッシングルアーの１あるいはそれ以上の面側を全体的あるいは部分的覆うように形成される。
【００１１】
本発明のさらなる別の実施の形態によると、フィッシングルアーの面に接着可能な接着カバーが提供される。接着カバーは、互いに接着される第１、第２、および第３の層を有する。第１の層は、熱可塑性ウレタン、第２の層は、繊維材料、そして第３の層は、一時的な接着能を持つ接着テープとすることができる。接着カバーは、フィッシングルアーの１あるいはそれ以上の面を全体的あるいは部分的に覆うように形成されている。
【００１２】
本発明の別の実施の形態では、フィッシングルアーキットは、少なくとも１つのフィッシングルアーを含み、当該少なくとも１つのフィッシングルアーは、少なくとも１つの接着カバーを装着するために構成された１または複数の部分を有する。また、当該キットは、少なくとも１つの接着カバーを有し、接着カバーには、少なくとも１のフィッシングルアーに接着されるのに適合したデザインが含まれている。
【００１３】
本発明の他の特徴および側面は、例示の方法で示される添付の図面、様々な本発明の実施の形態に基づく特徴を参照して、次の詳細な説明から明確になる。
【図面の簡単な説明】
【００１４】
【図１】図１Ａおよび１Ｂは、本発明の一実施の形態に係る接着カバーの正面部および背面部からそれぞれ見た場合の平面図である。
【図２】図２は、本発明の一実施の形態において、接着カバーが一部に粘着している電子機器の正面図を示している。
【図３】図３は、本発明の一実施の形態に係る接着カバーの断面図を示している。
【図４】図４は、本発明の一実施の形態において、接着カバーの天面に設けられた装飾部材と図３の接着カバーとの断面を示す。
【図５】図５は、本発明の一実施の形態において、星形パターンに配置された装飾部材を有する図３および図４の接着カバーとの正面図である。
【図６】図６は、本発明の別の実施の形態に係る接着カバーの断面図である。
【図７】図７は、本発明の一実施の形態において、接着カバーの天面に設けられた装飾部材と図６の接着カバーとの断面図を示している。
【図８】図８は、本発明の別の実施の形態に係る接着カバーの断面図を示している。
【図９】図９は、本発明の一実施の形態に係る接着カバーの製造工程を示すフローチャートである。
【図１０】図１０は、本発明の一実施の形態に係る、接着カバーを有するフィッシングルアーを図示している。
【図１１】図１１は、本発明の一実施の形態において、接着カバーを有する別のフィッシングルアーを図示している。
【発明を実施するための形態】
【００１５】
当然のことながら、上記例示した図面は、必ずしも同じ縮小率で描写されていない。ある部分は、拡大されているかもしれないし、他の部分は、縮小されているかもしれない。図面は、当業者により理解可能かつ適切に実施可能な本発明の様々な実施の形態を示すことを目的とする。
【００１６】
本発明の例示的な実施の形態の詳細な説明
例示的な実施の形態についての以後の説明は、電気機器用の接着カバーに関する。本発明に係る接着カバーは、カスタマイズが要求されるデバイスの筺体であれば、どのようなものに適用されうる。ある実施の形態において、ここで説明される接着カバーは、凹凸およびひっかき等と同様、水、湿気から電気機器を保護できる。さらに、接着カバーは、電気機器の機能に干渉しないあるいは、最小限で干渉するように作られていてもよい。接着カバーは、所有者の好みに応じてカスタマイズ／パーソナライズされていてもよい。このように、接着カバーは、携帯電話のような電気機器のパーソナライズおよび保護、会社の識別、再ブランド化、企業広告および広報活動、そして特別イベントでのマーケティングを目的とするのに有効である。
【００１７】
ここで用いられる用語“電気機器”は、当分野で知られるあらゆる電気機器を意味し、たとえば、携帯電話のような電気通信機器、携帯情報端末（Ｐｅｒｓｏｎａｌ  Ｄｉｓｐｌａｙ  Ａｓｓｉｓｔａｎｃｅ；ＰＤＡ）、ポケットベル、ラジオ、両方向ラジオ、ＣＢ無線、衛星ラジオ、パーム・パイロット、ＭＰ３プレーヤ、音楽・映像・音響機器（携帯用音楽、映像および音響機器を含むが、これに限られず）、電子手帳、電子機器用リモートコントローラ等に限定されない。他の電子機器としては、たとえば、電気ゲーム装置、コンピュータ、ノート型パーソナルコンピュータ、カメラ、全地球測位（ＧＰＳ）受信機、ＣＤ（Ｃｏｍｐａｃｔ  Ｄｉｓｃ）プレーヤ、ＤＶＤプレーヤ、ＴｉＶｏ（登録商標）のようなテレビ録画装置およびモニターもまた、“電子機器”という用語の範囲に含まれることを意味する。
【００１８】
次に、図面を参照すると、図１Ａおよび図１Ｂは、本発明の一実施の形態に係る携帯電話用接着カバー１００の正面部１０２および背面部１０４の一例を図示している。接着カバー１００は、携帯電話の正面および背面に一致するように形成されている。
【００１９】
図２は、モトローラＲＡＺＲ  Ｖ３携帯電話を例とする携帯電話２０２の正面部に接着された接着カバー２００の別の実施の形態を図示している。本発明の一実施の形態に係る接着カバー２００の１つの隅部２０４は、取り外し可能な接着カバー２００を示すために、引きはがされており、後でさらに詳細に説明する。加えて、実施の形態２００は、そこに形成されたカスタマイズされた画像を有し、これについても後で詳述する。
【００２０】
図１Ａおよび１Ｂで図示されるように、一実施の形態において、接着カバー１００は、接着させる電子機器の表面におおよそ合致させるように、切断、成形およびサイジングされる。さらに、接着カバーは、電子機器の機能に干渉しない。たとえば、正面部１０２は、中央開口部１０６を有するので、カバー１００は、携帯電話の画面を遮らない。同様に、天上開口部１０８は、カバー１００が携帯電話のカメラレンズを遮らないように設けられている。加えて、接着カバー１００が、モトローラＲＡＺＲ  Ｖ３携帯電話に使われるためにデザインされているならば、たとえば、正面部１０２は、２つの別個の部品（上側部材１１０および下側部材１１２）を含む。上側部材１１０は、電話のフリップ部分天面を実質的に覆い、下側部材１１２は、フリップ部分の天面以外の部分であって、残りの電話正面を実質的に覆うことができる。
【００２１】
図１Ｂに示されるように、背面部１０４は、低部側開口部１１４を有するので、接着カバー１００は、電話のスピーカを覆わない。加えて、背面部１０４は、２つの別個の部品（上側部材１１６および下側部材１１８）を含む。それら２つの部品１１６および１１８は、別体であるため、ユーザは、電話の電池へ接続するために、電話のバックパネルを取り外すことができる。背面部１０４が、モトローラＲＡＺＲ  Ｖ３携帯電話の背面をすべて覆う一つの部品である場合には、電話のバックパネルへ接続するあるいは電話のバックパネルをはずすために、ユーザは、背面部１０４を電話から取り外すか、背面部１０４を切断するかしなくてはならない。
【００２２】
上述のように、接着カバー１００は、１または複数の部品および様々な開口部を有するので、接着カバー１００が取り付けられる電子機器の機能に影響しない。別の実施の形態では、ある部分を破る、ある部分を剥がす、あるいはある部分に穴をあけることで、電子機器の部品が機能できるように設けられている。電子機器のこれらの部品の例としては（なお、この例に限定されない。）、電子機器のコントロール、ダイヤル、ボタン、表示部、カメラレンズ、アンテナ、インプット／アウトプットジャック、マイク、スピーカ、信号ポート（例．赤外線ポート）、ハードウェアコネクターポート、ソフトウェアコネクターポート、バッテリー収納等を含み、これに限定されない。同様に、接着カバー１００は、部品の機能にほとんど影響することなく、上述の電子機器の１つまたは複数の部品を覆うあるいは囲んで取り付けられることもできる。
【００２３】
開口部、裂け部、剥離部、穴開け部等は、当分野で知られている適切な方法であればどのような方法により形成されてもよく。たとえば、ダイカット工程、レーザカット工程、コンターカッター、あるいは、決まったパターンまたは電子機器の輪郭を切断できる他のあらゆる切断装置もしくは工程により形成され得る。
【００２４】
さらに、本発明の接着カバーの実施の形態では、接着カバーが電子機器の１またはそれ以上の側面あるいは表面を覆うことが可能な程度の寸法を有している。たとえば、ある実施の形態では、接着カバーは、電子機器のある一面の一部を覆っている。他の実施の形態では、接着カバーは、電子機器の多面を覆っている。さらに他の実施の形態では、接着カバーは、携帯電話の表面のような、電気機器の表面を覆っている。他の実施の形態では、接着カバーは、電子機器の１またはそれ以上の面に巻きつけられるような寸法を有していてもよい。
【００２５】
図２を参照しながら説明されるように、本発明の様々な実施の形態において、接着カバーは、１またはそれ以上のデザインを含むことにより、カスタマイズあるいはパーソナライズされていてもよい。ここで用いられる用語「デザイン」とは、色彩、テキスト、名前、企業ブランド、スローガン、画像、パターン、意匠、グラフィック、写真、ロゴ、宣伝またはそれらの組み合わせを意味する。デザインは、顧客または電子機器のカスタマイズを望む人により設けられてもよいし、あるいは、接着カバーの製造者あるいは他の団体により設けられてもよい。デザインを接着カバーに転写するのに好適な方法であれば、例えば、印刷、スクリーン印刷、シルク印刷、フロック加工、化学的な焼き付け等どのような方法も採用することができる。
【００２６】
図３は、本発明の一実施の形態に係る接着カバー３００の断面図である。接着カバー３００は、複数の層（離型紙または裏あて材３０２、第１の接着層３０４、基材層３０６、プライマー層３０８、印刷層３１０、第２の接着層３１２および積層外層３１４）を備え得る。
【００２７】
離型紙３０２は、ユーザが接着カバー３００を機器に付けることを決定するまでの間、第１の接着層３０４を覆う機能を持ち得る。言い換えると、離型紙３０２は、たとえば、接着カバー３００が未使用の間、第１の接着層３０４の表面が埃と接触あるいは埃を拾うのを防ぐことができる。また、接着層３００がユーザへ出荷されるまでの間および、ユーザが包装から接着カバー３００を取り出すまでの間、離型紙３０２に第１の接着層３０４を覆ってもらうのが好ましい。ユーザは、次に、離型紙３０２を接着カバー３００の残余部分から引きはがし、それによって、第１の接着層３０４を露出させることができる。ユーザは、次に、機器に露出した接着層３０４を当てることで、接着カバー３００を機器に接着できる。
【００２８】
図３にさらに言及すると、第１の接着層３０４は、接着カバー３００を機器に接着できる接着材料とすることができる。ある実施の形態において、第１の接着層３０４は、接着カバー３００が一時的な接着能を持つもしくは機器から取り外し可能であるようなものから選択されているため、接着カバー３００を機器に固定した後で、その位置を変えることができる。たとえば、接着カバー３００は、ユーザが所望する時に機器から剥がすことができる。接着カバー３００が付いている機器からユーザが接着カバー３００を取り外した後に、機器に粘性残余物あるいは接着性残余物が残らないような特性を有する接着層３０４も好ましい。実施の形態の変形例では、第１の接着層３０４は、接着カバー３００がデバイスに固着された後、デバイスから取り外し不可能あるいは、実質的に取り外し不可能なように、はがれないあるいは、実質的にはがれないものであってもよい。このような変形例では、接着カバー３００は、１または複数の接着カバーが以前に固着されていた天面を覆って固着されても良い。
【００２９】
また、第１の接着層３０４は、また、そこに形成された可視あるいは不可視のパターン（不図示）を有し得る。そのパターンは、粘着カバー３００がデバイスに付される時に、接着カバー３００との間に捕獲された気泡の意図しない効果を避けるために、接着カバー３００の底面から空気を出すように導く機能を持ち得る。好適な接着材としては、当分野で知られる様々な供給者、たとえば、３Ｍ社やエイブリィ・デニソン社から得ることができる。転写テープや３Ｍ社が供給している感圧式接着材（別名ＰＳＡ）は、好適な接着材である。
【００３０】
図３をさらに参照すると、基材層３０６は、接着カバー３００のための土台として機能し得る。基材層３０６は、また、接着カバー３００を所望の剛性にできる。基材層３０６は、デザインの一部であってもよく、たとえば、基材層３０６は、所望の色あるいは質感を有する。ＰＶＣビニル、ポリオレフィン、または、その他の合成材料（ポリエステル、ウレタン、レキサンやポリカーボネート等）を含む種々の異なる材料を基材層３０６として用いることができる。
【００３１】
図３で示されるように、プライマー層３０８は、基材層３０６の天面に設けることができる。一般的には、プライマー層３０８は、基材層３０６の“印刷適性”（例、インク吸収性）を向上させるように機能し、その結果、基材層３０６における印刷層３１０の受容が促進される。ある実施の形態では、コロナ処理で油等の不純物を除去した後、プライマー層が随意で設けられる。Ｍｉｃｈｅｌｍａｎ社により供給されているＤｉｇｉＰｒｉｍｅ（登録商標）５０００は、好適なプライマーであることが知られている。他の実施の形態では、プライマー層および／またはコロナ処理は省略されていてもよい。
【００３２】
印刷層３１０は、接着カバー３００にデザインを形成するため、１または複数のデザイン材料（たとえば、インク等）を含み得る。様々な実施の形態において、印刷層３１０は、基材層３０６（プライマー層３０８により促進された）に、デジタル印刷、シルクスクリーン、あるいはスクリーン印刷を含む様々な方法で設けることができる。図３は、接着カバー３００の長さ方向に延びる印刷層３１０を図示している。しかし、印刷層３１０は、接着カバー３００の全長さ方向に延びている必要はなく、印刷層３１０は、たとえば、デザインが存在する位置にのみ備えられていればよい。インクがデザインを印刷するために用いられるのであれば、夜光インク、紫外線透過インク、金属インクあるいは、当分野で知られている他のインクを含む様々なインクを用いることができる。
【００３３】
第２の接着層３１２は、接着カバー３００の他の層に最外積層３１４を接着するために機能し得る。第２の接着層３１２は、長期間はがれない、あるいは一時的に接着するものであってもよい。加えて、第２の接着層３１２は、透明（たとえば、クリア）、半透明、あるいは不透明であってもよい。第２の接着層３１２として用いることができる好適な接着材は、ミネソタ州セントポールに位置する３Ｍ社を含む当分野で知られている様々な供給者から市販されている。
【００３４】
通常、最外積層３１４は、接着カバー３００の外側保護層として設けることができる。ある実施の形態では、最外積層３１４は、カレンダリングされたもの、または、ＰＶＣビニルキャストフィルムである。別の実施の形態では、その最外積層は、ポリオレフィン材料である。ＰＶＣビニル材料は鉛を含むことで知られているため、処分環境の点で、ポリオレフィン材料は、ＰＶＣビニル材料よりも好ましい。当業者により知られるその他の適した材料を用いてもよい。さらに、最外積層３１４は、透明、半透明あるいは不透明であってもよい。最外積層３１４は、色を付されていてもよいし、層３１４中または層３１４上に形成されたパターンを有していてもよい。ある実施の形態では、最外積層３１４および第２の接着層３１２は、両方とも透明であるため、最外積層３１４および第２の接着層３１２を通して、印刷層３１０および／または基材層３０６を見ることができる。
【００３５】
また、樹脂ドームが接着カバー３００に配置されてもよい。通常、樹脂ドームは、接着カバーに「腫れた」あるいは隆起したような外観を設けることができる。ある実施の形態では、樹脂ドームは、最外積層３１４の天面に設けられる。他の実施の形態では、樹脂ドームは、最外積層３１４として存在する。
【００３６】
ある実施の形態において、基材層３０６は、全部あるいは一部が透明であってもよい。透明な基材層３０６を設けるための好適な材料は、よく知られている。このように、接着カバー３００は、全部あるいは一部が透明であるため、機器に貼り付けられると、機器の筺体の一部または全部は、接着カバー３００を通して見ることができる。たとえば、底層３００が透明で、印刷層３１０が黒色デザインを含み、赤色の筺体の機器に接着カバー３００が貼り付けられているある実施の形態では、機器を見る人は、黒いデザインが重ねられた赤い筺体を見ることができる。
【００３７】
接着カバー３００の様々な変形例が、本発明の趣旨から離れることなく行われるものである。たとえば、追加の層を追加してもよいし、図３にて示されたいくつかの層を取り除いてもよい。加えて、プライマー層３０８を用いずに印刷層３１０と基材層３０６とを十分に結合する印刷方法が用いられるならば、プライマー層３０８は、必要としない。さらに、たとえば、接着カバー３００中にデザインが印刷されていないことを所望する場合には、印刷層３１０は必要ではない。さらに、たとえば、接着カバーを製造したすぐ後に、生産者が接着カバー３００をデバイスへ付ける場合には、離型紙３０２は必要ではない。
【００３８】
図４によると、加飾片４２０ａ、４２０ｂ、４２０ｃが本発明の実施の形態に係る接着カバー３００に加えられてもよい。加飾片４２０は、接着カバーに注目を集めるいかなる物でもよい。加飾片４２０の一例としては、スワロフスキークリスタル、レインストーン、ビーズ、貴金属、プラスチック片等を含み得る。加飾片４２０は、様々な形、色、および記号若しくは文字のパターンといったいかなる所望のパターンで配置されてもよい。たとえば、図５に示す複数の加飾片４２０は、実施の形態の接着カバー５００の上に、星型パターンで配置されている。
【００３９】
加飾片４２０は、その底面に一時的あるいは長期間はがれない接着層４２２を有するので、接着カバー３００の表面に接着することができる。ある実施の形態では、たとえば、接着層４２２が長期間はがれないので、ユーザが機器をポケットに入れる際に、加飾片４２０がはがれ落ちない。加飾片４２０は、粘着カバー３００が製造されている間、接着カバー３００に貼り付けられていてもよいし、加飾片４２０は、ユーザが所望で接着カバー３００上に配置するために、別途ユーザに供給されてもよい。ある実施の形態では、接着カバー３００は、加飾片４２０が配置される場所を指示する予め印刷されたパターン（不図示）が付されてユーザへ提供される。その予め印刷されたパターンは、たとえば、複数のドットを有し、；各ドットは、ユーザが加飾片を配置する位置を示している。
【００４０】
図６は、他の実施の形態に係る接着カバー６００の断面図である。接着カバー６００は、外層６３０を含み、そ外層６３０は、フロック状の織物あるいは他の合成あるいは天然の織物材から形成され得る。ある好適なフロック状の織物材は、アメリカのコロラド州フォートコリンズに位置するＦｉｂｅｒ  ｌｏｋ社から商標“ＬｅｘｔｒａＭａｘ”を用いて市販されている。また、別の例では、外層は、合成フィルムであってもよく、たとえば、ウッドグレイン、金属、カーボン、皮の外装を有していてもよい。外層６３０は、天然のパネル、木材等であってもよい。
【００４１】
デザインは、たとえば、デジタル印刷、シルクスクリーン、スクリーン印刷によりフロック転写材へ付されてもよい。あるスクリーン印刷手法は、“ＳＣＲＥＥＮ  ＰＲＩＮＴＥＤ  ＲＥＳＩＮ  ＦＩＬＭ  ＡＰＰＬＩＱＵＥ  ＯＲ  ＴＲＡＮＳＦＥＲ  ＭＡＤＥ  ＦＲＯＭ  ＬＩＱＵＩＤ  ＰＬＡＳＴＩＣ  ＤＩＳＰＥＲＳＩＯＮ”というタイトルで２００５／１２／２０に発行された米国特許６，９７７，０２３にて開示され、その内容は、ここに参照して組み込まれる。
【００４２】
図６に示される接着カバー６００は、基材層６０６を有する。基材層６０６は、通常、接着カバー６００に所望の硬度や柔軟性を付与するように、接着カバー６００が引き裂かれるのを防止するように、および／または接着カバー６００の外側の構造を保つように機能する。基材層６０６は、たとえば、ＴＰＵ／ポリウレタン、マイラー、あるいは、所望の柔軟性を付与する他の好適な合成あるいは天然素材から構成できる。図６に示すように、基材層６０６は、長期間はがれないあるいは一時的に接着する接着材である接着層６３２により外層６３０に接着される。
【００４３】
さらに、図６に関して、離型紙６０２および接着層６０４は、基材層６０６の底面に接着されている。固着を容易にするため、別の接着層６３４およびキャリヤ層６３６が接着層６０４および基材層６０６の間に挟まれている。キャリヤ層６３６は、好ましくは接着層６０４および６３４を一緒に保持するのを促進する。その他の適したキャリヤとして、ポリエステル材、当分野で知られているその他の合成材あるいは他のキャリヤを用いることができる。
【００４４】
図７に図示されるように、加飾片４２０ａ，４２０ｂおよび４２０ｃは、図４および図５を参照して上記で説明されるのと同様の方法で、接着カバー６００に貼り付けられることもできる。
【００４５】
接着カバー８００のさらなる実施の形態の断面図を図８に示す。接着カバー８００は、離型紙８０２、接着層８０４および基材層８０６を有し、それらは、図３に示される離型紙３０２、接着層３０４および基材層３０６とそれぞれ同様である。
【００４６】
図８をさらに参照すると、外層８４４は、接着カバー８００の天面に位置する。外層８４４は、たとえば、レンチキュラー、ポリエステル、ポリカーボネート、あるいはその他の合成部材から成る色つきあるいは透明フィルムとすることができる。実施の形態８００では、外層８４４は、下記により詳細に説明されるように、その内面にデザインを付すことができる。
【００４７】
プライマー層８１０は、外層８４４の下方に設けられている。ある実施の形態では、外層８４４は、レンチキュラー材料から成り、レンチキュラーパターンは、外層８４４の底面に印刷されている。プライマー層は、図３を参照して説明されたプライマー層３０８と同様なものにできる。変形例では、プライマー層８０８は、省略されている。
【００４８】
図８に示されるように、印刷層８１０および接着層８１２は、プライマー層８０８および基材層８０６に挟まれている。印刷層８１０は、外層８４４の下方に（プライマー層８０８を介して）デジタル印刷、シルクスクリーン、溶剤インク、箔押し、あるいは当分野で知られているその他の印刷手法により設けることができる。接着層８１２は、図３を参照して述べた接着層３１２と同様なものにできる。
【００４９】
以下の開示では、本発明の実施の形態に係る接着カバーおよび接着カバーを製造する工程のいくつかの特定の非限定的な例について開示する。
【００５０】
接着カバー３００を製造するためのある例示的な工程９００を、図９のフローチャートに示す。工程９００は、所望の基材層３０６を得るところから始まる。ある実施の形態では、基材層３０６は、既に基材層３０６に接着された接着層３０４や離型紙３０２の供給者から得ることができる。工程９０２では、基材層３０６は、コロナ処理される。コロナ処理は、基材層３０６の表面のダインレベルを向上させるため、基材層３０６の表面のインク接着性を向上させる。言い換えると、コロナ処理は、底層３６０の“印刷性”（たとえば、インク吸収）を向上させる。次に、ステップ９０４では、基材層３０６は、たとえば、Ｍｉｃｈｅｌｍａｎ社から市販のｄｉｇｉｐｒｉｍｅ５０００プライマーで覆われている。基材層３０６は、次に、ステップ９０６において熱風乾燥される。一旦十分に乾燥させた後、ステップ９０８において、デジタルプリンターが所望のデザインを基材層３０６に付す。デジタルプリンターは、４色と共に、たとえば、２つの追加スポット色を使用できる。印刷は、ブランケットトランスファーを介して行うことができる好適なデジタルプリンターとしては、たとえば、ヒューレッドパッカード社のＩｎｄｉｇｏ  ｗｓ４０５０  ｄｉｇｉｔａｌ  ｐｒｅｓｓを用いることができる。毎分１〜１５０フィートの範囲内で、好ましくは、毎分５０フィートの印刷スピードを用いることができる。印刷範囲は、１２．１インチ×１７．１インチで１２〜１３インチの（格子）とすることができる。基材層３０６は、工程９１０にて再度コロナ処理し、ステップ９１２において、インラインあるいはオフラインデジタル加工設備により、天層３０２と冷間積層することができる。積層ステップ９１２は、Ｒｏｔｏｆｌｅｘ  Ｉｎｔｅｒｎａｔｉｏｎａｌ社が供給するＶｅｒｉｔｃｕｔ  Ｓｙｓｔｅｍにより行うことができる。
【００５１】
次に、ステップ５１４では、接着カバー３００は、ナイフカット、ロータリーダイカットあるいはレーザカットにより、所望の形状に切断することができる。ウィスコンシン州Ｌａｋｅ  Ｇｅｎｅｖａのｉ−ｃｕｔ社から供給されるｉ−ＸＥ１０は、カスタマイズされた形状に接着カバーを接着するために望ましい。ｉ−ＸＥ１０は、予め生成されたデータファイルであって、切断後の接着カバーの形状に関する情報を含むデータファイルにアクセスできる。あるいは、Ｖｅｒｉｃｕｔ  Ｓｙｓｔｅｍをロータリーダイスカット、スリットあけ、シーティング、計数、および積層のために用いることができる。  大量の同じ形状の接着カバー形状に切断するために、ロータリーダイスカットは好適である。
【００５２】
接着カバーは、ステップ５１６において、包装されかつ出荷される。
【００５３】
加飾片４０２は、製造工程９００の間に接着カバーに付されてもよいし、あるいは、ユーザに別途供給されてもよい。
【００５４】
また、接着カバーの実施の形態は、フィッシングルアーのような釣り具に用いることができる。一般に、接着カバーを貼り付け可能な表面領域を有するような多くのフィッシングルアーのデザインを、様々な実施の形態にて用いることができる。図１０は、接着カバー１０１０が付されたフィッシングルアー１０００の例示的な実施の形態を示す。フィッシングルアー１０００は、通常、反対側の端部で固定された１組のヒモ穴１０３０ａおよび１０３０ｂを備える筒状ボディ１０２０を有する。ヒモ穴１０３０ａは、釣り糸への取り付け用に構成されており、フック１０４０は、ヒモ穴１０３０ｂに固定されている。
【００５５】
図１０をさらに参照すると、接着カバー１０１０は、筒状ボディ１０２０の周囲全部あるいは部分的に巻きつけるように構成されていてもよい。接着カバー１０１０を取り外すことができるという特徴を図示するため、接着カバー１０１０の一部が剥がされている。接着カバー１０１０は、たとえば、上記で説明された接着カバー３００、６００あるいは８００のどれか１つであってもよく、ステップ９００に基づいて製造できる。したがって、上述の他のタイプの機器と同様に、フィッシングルアー１０００は、加飾片４０２のような様々なデザインおよび加飾片によりカスタマイズされることができる。各実施の形態にしたがって、ある種の魚をひきつけるようなデザインにカスタマイズすることが望まれるかもしれない。特定の魚は、特定の色および／あるいはデザインパターンに引きつけられることを理解する人は、接着カバー１０００を、それに応じて形作ることができる。たとえば、デザインは、色彩および模様を含んでもよく、その色彩および模様は、魚が食べる餌のタイプを示すあるいは、魚が食べる餌の画像を示すものであってもよい。図１０で図示される接着カバー１０１０は、複数のストライプを有し、そのストライプは、たとえば、特定の種の魚を引きつけるように明るい色が付されていてもよい。また、魚を引きつけることができる光る特性を有する加飾片４０２が、接着カバー１０１０に付されていてもよい（図１０では不図示）。接着カバー１０１０のデザインは、加えて、あるいはそれに代えて、会社のロゴ、運動チームのロゴ、学校のロゴ、または、上述されたいかなる他のタイプのデザインを有していてもよい。
【００５６】
さらに、接着カバー１０１０は、取り外し可能であるため、ユーザは、接着カバー１０１０を取り外し、新しい接着カバーを付けることができる。このことは、デザインの違うルアーを使用したいとき、あるいは、ルアーのデザインが必要な擦り切れおよび損傷によりルアーのデザインを換える必要がある場合に、ユーザがルアー１０００を換える必要がないので優位である。その代わりに、ユーザは、容易に、ルアー１０００の新しい接着カバーを取り付けることができる。
【００５７】
接着カバー１１１０がそこに接着されているフィッシングルアー１１００の他の実施の形態を図１１に図示す。フィッシングルアー１１００のボディ１１２０は、魚と似た形状を有する。ヒモ穴１１３０ａ、１１３０ｂおよび１１３０ｃは、ボディ１１２０に取り付けられ、釣り糸（不図示）、第１のフック１１４０ａおよび第２のフック１１４０ｂのそれぞれに取り付けられるように構成されている。接着カバー１１１０は、図１０を参照して説明される接着カバー１０１０と同様であると共に、ルアー１１００のボディ１１２０の前面側に貼り付けることができる。図示されるように、接着カバー１１１０は、企業ロゴデザインを含み、ボディ１１２０の前面側に合うようなサイズと形状に加工される。ボディ１１２０の前面側に加えて、接着カバー１１１０は、裏面（不図示）のようなボディ１１２０の他の側面部分を覆うことができるように成形されていてもよい。そのようにするため、接着カバー１１１０は、複数の別個の片あるいはルアー１１００の周囲に巻きつける単一の片としてもよい。接着カバー１１２０は、ルアー１１００の部分を覆わないように設計された開口部、裂け部、穴開き部および剥離部を含んでも良い。たとえば、接着カバー１１１０は、ルアー１１００の擬魚の魚眼を露出するように成形された開口部１１５０を有してもよい。
【００５８】
上述のルアーは、典型的な利点を有しているが、当然ながら本発明は、いかなる特別なルアーにも限定されない。むしろ、接着カバーを受容できる部分を有するどのようなルアーにも使用することができる。
【００５９】
ルアーキットは、また、様々な実施の形態に従って供給することができる。ルアーキットは、同じタイプあるいは異なるタイプの１または２以上のルアー（たとえば、ルアー１０００および１１００）および、１または複数の接着カバー（たとえば、接着カバー１０１０および１１００）を有していてもよい。ある例示的な実施の形態において、ルアーキットは、１２個のルアーおよび１２枚の接着カバーを含む。キット中の各ルアーは、異なるサイズであってもよく、サイズによる降順で、２列に配置してもよい。加えて、複数の接着カバーは、すべて同一あるいは略同一のデザインを有すると共に同一タイプの材料から成っていてもよいし、あるいは、キット中の１またはそれ以上の接着カバーは、異なるデザインを有すると共に異なる材料から成っていてもよい。様々な実施の形態において、そのようなキットの購入者は、接着カバーのデザインを指定することにより、キットをパーソナライズできる。上述したように、ユーザは、パーソナライズされたロゴ、および／または他のデザインが含む特定の種類の魚を引きつけると思われるデザインを選ぶことができる。
【００６０】
本発明の様々な各実施の形態は、以上述べた通りであるが、それらｈ、単なる例示の方法で提供されたものであり、限定的でないものと理解すべきである。したがって、本発明の範囲および領域は、いかなる上述の例示的な実施の形態にも限定されるべきではない。加えて、本発明は、多種の例示的な形態および実施の観点から上述される。１または２以上の実施の形態にて述べられた多種の特徴および機能は、それらが述べられている特定の実施の形態での応用に限定されるわけではなく、そのような実施の形態が記述されたか否かにかかわらず、および、説明された実施の形態の一部でそのような特徴が示されたか否かにかかわらず、本実施の形態に係る１あるいはそれ以上の他の実施の形態を、独立あるいはいくつかを組み合わせて適用することができるものと解釈されるべきである。
【００６１】
加えて、ここで説明した様々な実施の形態は、例示的なブロック図、フローチャート、および他のイラストの観点から記述されている。この書類を読んだ後の当業者に明白になるが、図示された実施の形態およびその様々な変形例を、図示された例に限定されずに実施できる。たとえば、ブロック図およびそれに付される説明は、特別な設計あるいは構造を義務とするものではない。むしろ、機能的代替手段、論理的あるいは物理的分割を、本発明が所望する機能および特徴を実現するために実施してもよい。たとえば、図示された接着カバーの形態における１または複数の層は、本発明の範囲を逸脱しない範囲で省略あるいは改造されていてもよい。追加例として、フローチャートおよびそれらに付随する説明に関して、記載されたであろう各ステップの順序は、別途前後関係が述べられていない限り、操作が特定の順序で行われる必要があるものと解釈されるものではない。
【図１】
2010528665.tif 000003
【図２】
2010528665.tif 000004
【図３】
2010528665.tif 000005
【図４】
2010528665.tif 000006
【図５】
2010528665.tif 000007
【図６】
2010528665.tif 000008
【図７】
2010528665.tif 000009
【図８】
2010528665.tif 000010
【図９】
2010528665.tif 000011
【図１０】
2010528665.tif 000012
【図１１】
2010528665.tif 000013
【手続補正書】
【提出日】平成22年2月8日(2010.2.8)
【手続補正１】
【補正対象書類名】特許請求の範囲
【補正対象項目名】請求項９
【補正方法】変更
【補正の内容】
【請求項９】
請求項１に記載の接着カバーであって、前記接着カバーは、前記フィッシングルアーの１または複数の面に前記接着カバーを接着するのを促進する形状を有する。
【手続補正２】
【補正対象書類名】特許請求の範囲
【補正対象項目名】請求項１０
【補正方法】変更
【補正の内容】
【請求項１０】
請求項１に記載の接着カバーであって、前記接着カバーは、１または複数の開口部、剥離部、穴開け部、裂け部、あるいはそれらの組み合わせをそこに有する。
【手続補正３】
【補正対象書類名】特許請求の範囲
【補正対象項目名】請求項１２
【補正方法】変更
【補正の内容】
【請求項１２】
請求項１に記載の接着カバーであって、前記接着カバーの外側の面に固着される１または複数の加飾片をさらに有する。
【手続補正４】
【補正対象書類名】特許請求の範囲
【補正対象項目名】請求項１３
【補正方法】変更
【補正の内容】
【請求項１３】
請求項１に記載の接着カバーであって、前記接着カバー上に前記加飾片を配置するのを容易にするための予め印刷されたパターンをさらに有する。
【手続補正５】
【補正対象書類名】特許請求の範囲
【補正対象項目名】請求項１５
【補正方法】変更
【補正の内容】
【請求項１５】
フィッシングルアーの表面に接着可能な接着カバーであって、
機器に上記接着カバーを接着できるように形成された接着材を備える第１の層と、
繊維材料を含む第２の層と、
上記第１の層と上記第２の層とに挟まれ、接着カバーに剛性を付与する材料を含む第３の層と、を備え、
上記接着カバーは、フィッシングルアーの１または複数の面に上記接着カバーを接着するのを促進する形状を有する。
【手続補正６】
【補正対象書類名】特許請求の範囲
【補正対象項目名】請求項２０
【補正方法】変更
【補正の内容】
【請求項２０】
フィッシングルアーの表面に接着可能な接着カバーであって、
その底面に付されたデザインを有する第１の層と、
上記第１の層の底面に接着される第２の層と、
上記第２の層の上記第１の層と逆側に接着され、機器にカバーを接着するように形成される第３の層と、を備え、
上記接着カバーは、フィッシングルアーの１または複数の面に上記接着カバーを接着するのを容易にする形状を有する。
【国際調査報告】
2010528665.tif 000014